(57)【要約】【課題】厚さや幅等の寸法の異なる多種類のカードを同一カードコネクタに挿入して使用するカードコネクタを提供する。【解決手段】カードコネクタは、コネクタ本体と、前記コネクタ本体の少なくとも一方が開口されているカードの挿入口を有して、カードを収容するための収容空間と、前記コネクタ本体に配置された複数のコンタクトを備え、寸法の異なる少なくとも大小２種類のカードを使用できるカードコネクタであって、前記コネクタ本体に、初期状態と持ち上げられた状態との間で作動できるアクチュエータ部材が配置され、大きなカードの挿入に伴って該アクチュエータ部材が駆動されて持ち上げられた状態まで持ち上げられて、大きなカードの更なる挿入を許して、小さなカードを挿入する時に、前記アクチュエータ部材は、初期状態に位置するように、前記小さなカードの両側に接触していることを特徴とする。【選択図】図４
2011222505.tif 000002
【特許請求の範囲】
【請求項１】
コネクタ本体と、前記コネクタ本体の少なくとも一方が開口されているカードの挿入口を有して、カードを収容するための収容空間と、前記コネクタ本体に配置された複数のコンタクトと、を備え、寸法の異なる少なくとも大小２種類のカードを使用できるカードコネクタであって、
前記コネクタ本体に、初期状態と持ち上げられた状態との間で作動できるアクチュエータ部材が配置され、
大きなカードを挿入に伴って該アクチュエータ部材が駆動されて持ち上げられた状態まで持ち上げられて、大きなカードの更なる挿入を許し、
小さなカードを挿入する時に、前記アクチュエータ部材は、初期状態に位置するように、前記小さなカードの両側に接触していることを特徴とするカードコネクタ。
【請求項２】
前記アクチュエータ部材は、前記コネクタ本体に横たわるように配置される本体部と、前記本体部の両端から上向きに延出する一対のアーム部と、を含むことを特徴とする請求項１に記載のカードコネクタ。
【請求項３】
前記アクチュエータ部材のアーム部には、大きなカードに挿入する時に、大きなカードの先端が当たって押されて前記アクチュエータ部材を持ち上げる当接壁を有することを特徴とする請求項２に記載のカードコネクタ。
【請求項４】
前記アーム部は、前記小さなカードの側部に接触する側壁を有し、前記側壁から前記挿入口に向けて斜めに延出するガイド部が設けられることを特徴とする請求項２に記載のカードコネクタ。
【請求項５】
前記コネクタ本体の底壁に、前記アクチュエータ部材の本体部を可動自在に収容するための収容溝が形成し、
前記コネクタ本体の側壁には、前記アクチュエータ部材のアーム部を可動自在に収容して、前記収容溝に連通する作動溝部が形成されることを特徴とする請求項２に記載のカードコネクタ。
【請求項６】
前記アクチュエータ部材の各アーム部の外側には、段差がそれぞれ形成され、前記カードコネクタは前記段差に当接する弾性片を備えることを特徴とする請求項２に記載のカードコネクタ。
【請求項７】
前記弾性片は、前記収容空間を突出するカム部と、前記アーム部の段差に当接するための支持部とを含み、
一対の前記カム部間の幅は、小さいカードの幅より広く、大きなカードの幅より狭いことを特徴とする請求項６に記載のカードコネクタ。
【請求項８】
前記カードコネクタは、収容空間を覆っているカバー部材を備え、前記弾性片は前記カバー部材に形成されることを特徴とする請求項６または請求項７に記載のカードコネクタ。
【請求項９】
前記カードコネクタは、前記弾性片の外側に配置されるスイッチ端子を備え、大きなカードを挿入する時に、前記弾性片の弾性的な変形に従って、前記弾性片が前記スイッチ端子に接触できることを特徴とする請求項６から８のいずれかの一項に記載のカードコネクタ。
【請求項１０】
カードコネクタは、前記収容空間を覆うカバー部材を備え、前記カバー部材の前記アクチュエータ部材のアーム部に対応する箇所には、逃げ溝が形成されることを特徴とする請求項２に記載のカードコネクタ。
【請求項１１】
前記複数のコンタクトは、前記コネクタ本体の前記挿入口に対向する端壁に列で装着され、小さなカードに接触する一方のコンタクトと、前記アクチュエータ部材の本体部にインサート成型された他方のコンタクトを少なくとも含むことを特徴とする請求項２に記載のカードコネクタ。
【発明の詳細な説明】
【技術分野】
【０００１】
本発明は、携帯電話機、電話機、ＰＤＡ（personal digital assistance）、携帯型オーディオ、ゲーム機、カメラ等や情報端末機器等の電子機器のカードコネクタに係わるものであり、特に、厚さや幅や長さ等の寸法の異なる多種類のカードを使用できるカードコネクタに関するものである。
【背景技術】
【０００２】
近年、携帯電話機、電話機、ＰＤＡ（personal digital assistance）、携帯型オーディオ、ゲーム機、カメラや、情報端末機器等の電子機器においては、ＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカードコネクタが広く求められている。特に、カードコネクタとして、高さを低くして低背化と小型化を図り、カードの挿入と抜き出しに必要な十分な強度を有し、挿入されたカードを容易に放出することができ、サイズの異なる多種類のカードを利用できるカードコネクタが求められている（例えば、特許文献１参照。）。
【先行技術文献】
【特許文献】
【０００３】
【特許文献１】特開２００１−１３５３８５号公報
【発明の概要】
【発明が解決しようとする課題】
【０００４】
しかしながら、従来のカードコネクタにおいては、ＩＣカードやＰＣカードまたはＳＤカードやＳＩＭカード等のカードを挿入して用いる際に、厚さや幅等のサイズの異なるカードを同一のカードコネクタにおいて使用する場合があるので、カードに何等かの細工を施すことが必要である。更に、従来のこのようなカードコネクタにおいては、各カードの寸法に合致したカード挿入口がカード挿入部の開口として形成されている。この場合には、機器の小型化と内部プリント基板の実装スペースが制限されること等の理由によって、１つのカードコネクタで寸法の異なるカードの装着が要求されるようになってきている。
【０００５】
従来におけるこのようなカードコネクタは、特許文献１に示されるように、厚さの厚い第１のカードの上側本体部の両側縁および厚さの薄い第２のカードのカード本体部の両側端を支持して、これら第１、第２のカードの挿脱移動を案内する一対の案内溝と、これら一対の案内溝で挟まれる空間の下方で第１のカードの下側本体部が収容される空間を画成するための側壁と、をコネクタハウジングに形成している。しかしながら、特許文献１では、異なる２種類のカードを同一のカードコネクタに挿入して使用することができるように、カードに細工を施すことが必須事項である。また、各カードの寸法に合致したカード挿入口がカード挿入部の開口として形成されているので、カードコネクタの製造精度が厳しく要求される。
【０００６】
従って、本発明は、係る点に鑑みてなされたものであり、厚さや幅等の寸法の異なる多種類のカードを同一カードコネクタに挿入して使用することができるように、カードに何等の細工を施すこと無く、アクチュエータのような部材等の部材を切換え作動して適合できるカードコネクタを提供することにある。
【課題を解決するための手段】
【０００７】
本発明のカードコネクタは、コネクタ本体と、前記コネクタ本体の少なくとも一方が開口されているカードの挿入口を有して、カードを収容するための収容空間と、前記コネクタ本体に配置された複数のコンタクトを備え、寸法の異なる少なくとも大小２種類のカードを使用できるカードコネクタであって、
前記コネクタ本体に、初期状態と持ち上げられた状態との間で作動できるアクチュエータ部材が配置され、
大きなカードの挿入に伴って該アクチュエータ部材が駆動されて持ち上げられた状態まで持ち上げられて、大きなカードの更なる挿入を許して、
小さなカードを挿入する時に、前記アクチュエータ部材は、初期状態に位置するように、前記小さなカードの両側に接触していることを特徴とする。
【発明の効果】
【０００８】
従来技術に比べ、本発明は以下の利点を有する。カードコネクタは、アクチュエータが初期状態と持ち上げられた状態との間を切換えることによって、寸法の相違するカードを挿入して使用することができ、大小の複数種類のカードをカード自体に何等の細工を施さずに共通して使用することができる。
【図面の簡単な説明】
【０００９】
【図１】本発明に係る第１実施形態でのカードコネクタの組立斜視図である。
【図２】図１に示すカードコネクタのカバー部材を外した状態の部分分解図である。
【図３】本発明に係る第１実施形態でのコンタクトがアクチュエータ部材にインサート成型された斜視図である。
【図４】図１に示すカードコネクタのA-A線に沿った断面図である。
【図５】図２に示すカードコネクタに小さなカードを挿入した時の斜視図である。
【図６】図２に示すカードコネクタに大きなカードを挿入した時の斜視図である。
【図７】本発明に係る第２実施形態でのカードコネクタのカバー部材を外した状態の部分分解図である。
【図８】本発明に係る第２実施形態でのアクチュエータ部材と弾性片とスイッチ端子との斜視図である。
【図９】図７に示すカードコネクタのカバー部材の斜視図である。
【図１０】図７に示すカードコネクタに小さなカードを挿入した時の斜視図である。
【図１１】図７に示すカードコネクタに大きなカードを挿入し始めた時の斜視図である。
【図１２】図７に示すカードコネクタに大きなカードを完全に挿入した時の斜視図である。
【発明を実施するための形態】
【００１０】
以下、本発明のカードコネクタ１００についての実施形態を詳細に説明する。カードコネクタ１００は、幅が狭くて短い小さなカード２００（例えば、ＭＳduoカード）と幅が広く長い大きなカードB（例えば、ＳＤカード及びMMCカード）と、幅が広くて短いカード（例えば、ＸＤカード、図示せず）とを共通して使用することができるものである。
【００１１】
図１〜図６を参照すると、本発明に係るカードコネクタ１００の第１実施形態である。カードコネクタ１００は、コネクタ本体２０と、複数のコンタクト３０と、コネクタ本体２０を覆っているカバー部材４０と、アクチュエータ部材５０とを含む。コネクタ本体２０に組合せられるカバー部材４０によって偏平なハウジング形状の収容空間２３が構成されており、一方の側が開放されていてカード挿入口２４が形成されている。
【００１２】
図１と図２を参照すると、コネクタ本体２０は、互いに組合された第１本体２５と第２本体２６とで構成される。第１本体２５の回路基板に対向する底壁２１には、横幅方向の収容溝２１１が横たわって設けられ、前記収容溝２１１がコネクタ２０の側壁２２を上向きに貫通して前記収容空間２３に連通する作動溝２２１が延出するように形成される。
【００１３】
前記複数のコンタクト３０は収容空間２３に三列で配置され、第１列コンタクト３１は挿入口２４に隣接して第２本体２６に整列してインサート成型され、中間での第２列コンタクト３２はアクチュエータ部材５０に整列してインサート成型され、その第３コンタクト３３は、収容空間２３の最奥側に位置して挿入口２４に対向するコネクタ本体２０の端壁に整列してインサート成型されている。コネクタ本体２０は、前記第３コンタクト３３の列の接触部３３１の最外側の一方に誤挿着防止用の凸状リブ２３１が突出するように形成され、凸状リブ２３１が第３コンタクト３３の接触部３３１より挿入口２４へ向けて突出している。前記コネクタ本体２０の底壁２１には前記複数のコンタクト３０の接触部に対応する箇所に前記接触部の弾性的な変形のための貫通孔がそれぞれ形成される。
【００１４】
前記カバー部材４０は金属板からなり、収容空間２３を覆うようにコネクタ本体２０に係合して、前記コネクタ本体２０の作動溝２２１に対応する逃げ溝４１が形成される。
【００１５】
前記アクチュエータ部材５０は、コ字形状を呈する本体部５１と、本体部５１の両端部から上向きに延出する、一対の対向配置されるアーム部５２とを含み、第２コンタクト３２の一端が本体部５１にインサート成型される。本体部５１が第１本体２５の収容溝２１１に可動自在に収容され、前記アーム部５２が作動溝２２１に上下方向に可動自在に収容される。前記アーム部５２は、カバー部材４０に対面する上壁５２１と、上壁５２１の反対側の下壁５２２と、上壁５２１と下壁５２２とを連接する側壁５２４と、挿入口２４に向けられている先端壁５２０とを含み、一対の側壁５２４が向かい合うように配置される。前記側壁５２４と先端壁５２３との間にガイド部５２５が斜めに延出するように形成され、ガイド５２５が挿入口２４に対向するように形成される。先端壁５２０と下壁５２２との間には先端壁５２０から下壁５２２に向けて斜めに延出する当接壁５２３が設けられる。
【００１６】
このような幅が狭くて長いカード２００は、例えば、メモリスティックデュオ（ＭＳduoと略称され、登録商標）と呼ばれるカードで、厚さが薄く、長さが短く、幅が狭い等の外形寸法が小さなカード２００である。この小さなカード２００の場合、幅がカードコネクタ１００のアクチュエータ部材５０のアーム部５２の側壁５２４間の正常の幅に等しい幅をなしている。従って、小さなカード２００を挿入口２４から収容空間２３に挿入した時に、小さなカード２００をアクチュエータ部材５０のガイド部５２５の案内によって好適に挿入でき、第３コンタクト３３に接触できる。また、誤挿着防止用の凸状リブ２３１により、小さなカード２００の誤挿入を防止できる。これは、小さなカード２００がアクチュエータ部材５０の当接壁５２３に何等当たらないので、アクチュエータ部材５０を上向きに持ち上げることが無いからであり、即ち、アクチュエータ部材５０が初期状態に位置している。図５を参照すると、小さなカード２００を収容空間２３まで挿入した時に、小さなカード２００の先端がコネクタ本体２０の第１止壁２０１に当たって停止されて所定位置に位置される。小さなカード２００の両側がアクチュエータ部材５０の一対の側壁５２４により挟まれて保持される。
【００１７】
図２と図６を参照すると、カードコネクタ１００の挿入口２４から大きなカード３００が挿入されている。この大きなカード３００は、例えば、マルチメディアカード（MMC）またはSDカード）と呼ばれるカードであり、厚さが厚く、幅が広い等の外形寸法が大きなカードである。この大きなカード３００の場合には、幅がカードコネクタ１００のアクチュエータ部材５０の一対の側壁５２４間の幅よりも大きい。
【００１８】
大きなカード３００を挿入口２４から収容空間２３に挿入した時に、先ず、大きなカード３００の先端がアクチュエータ部材５０の当接壁５２３に当たって押して、当接壁５２３が傾斜するように配置されるために、アクチュエータ部材５０が大きなカード３００の挿入に従って駆動されて持ち上げられる。アーム部５２の挿入開口部５２７は十分な高さを有しており、厚い大きなカード３００の挿入が許容される寸法と形状を有している。
【００１９】
従って、大きなカード３００は、持ち上げられたアクチュエータ部材５０によって十分な寸法の挿入開口部５２７を通って収容空間２３の奥の方まで挿入されて、大きなカード３００の先端がコネクタ本体２０の第２止壁２０２に当たって停止され、所定位置に位置される。第２コンタクト３２がアクチュエータ部材５０２にインサート成型されるので、アクチュエータ部材５０が上向きに持ち上げられることに従って、第２コンタクト３２の接触部３２０も持ち上げられ、大きなカード３００に便利に接続している。
【００２０】
カードコネクタ１００の挿入口２４から短いカードＣが挿入されている。この大きなカードＣは、例えば、ＸＤカードと呼ばれるカードであり、幅が広く、長さが短い等の外形寸法が短いカードである。短いカードＣの挿入する場合に、挿入口２４から挿入して、短いカードＣの先端がコネクタ本体２０の第３止壁２０３に当たって停止され、所定位置に位置される。第３止壁２０３がアクチュエータ部材５０より挿入口２４に隣接するので、短いカードＣはアクチュエータ部材に接触しない。
【００２１】
このように、カードコネクタ１００においては、一つのカードコネクタによって、外形寸法が相違する二種類以上のカード２００、３００、Ｃをカード自体に何等の細工を施さずに、かつ何の支障も無く共通して使用することができる。
【００２２】
図７〜図１２を参照すると、本発明に係るカードコネクタ１００´の第二実施形態が示されており、第２実施形態でのカードコネクタ１００´の構造は、基本的に第１実施形態のカードコネクタ１００の構造と同じであり、異なるのは、アクチュエータ部材５０の両アーム部５２に協動できる弾性片４２`と、カードが挿入されたことを検知するスイッチ端子６０とをそれぞれ付加したことである。前記弾性片４２´はカバー部材４０´から下向きに延出するように形成され、前記コネクタ本体２０´には弾性片４２´を収容するように作動溝２２１´に連通する溝部２２２´が設けられ、前記アクチュエータ部材５０´のアーム部５２´の外部に段差部５２６´が形成されている。弾性片４２´は収容空間２３´へ折れ曲がって突出するカム部４２１´と段差部５２６´に当てる支持部４２２´とを含む。両弾性片４２´のカム部４２１´間の距離は、前記小さなカード２００´の幅より広く、大きなカード３００´の幅より狭い。スイッチ端子６０´は、一端がコネクタ本体２０´の第２絶縁本体に保持され、他端が弾性片４２´より外側に位置するように溝部２２２´に収容され、他端が弾性片４２´の支持部４２２´に隣接して接触可能なスイッチ部６１´が設けられる。
【００２３】
図９を参照すると、小さなカード２００´を挿入する時に、小さなカード２００´がアクチュエータ部材５０´の当接壁５２３´に接触すると、弾性片４２´のカム部４２１´間の幅が、小さなカード２００´の幅より広いので、弾性片４２´の両カム部４２１´が小さなカードの両側に接触せず、支持部４２２´がアーム部５２´の段差部５２６´に当接するために、アーム部５２´の持ち上がりが防止でき、従って、小さなカード２００´を正確な所定位置まで挿入することができる。
【００２４】
図１０と図１１を参照すると、大きなカード３００´を挿入する時に、弾性片４２´のカム部４２１´間の幅が、大きなカード３００´の幅より狭いので、カム部４２１´が大きなカード３００´の両側に押されることに従って、弾性片４２´を外側へ向けて変形させるので、支持部４２２´が段差５２６´から離脱してアクチュエータ部材５０´が上向きに持ち上げられる。従って、大きなカード３００を、挿入開口部５２７´を通じて収容空間２３´に挿入でき、また、弾性片４２´が外側へ移動してスイッチ端子６０´のスイッチ部６１´に接触することにより、大きなカード３００´の挿入を検知できる。
【００２５】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２６】
１００  カードコネクタ
２０、２０´  コネクタ本体
２１  底壁
２１１  収容溝
２２、２２´  側壁                                                
２２１、２２１´  作動溝
２２２´  溝部
２３、２３´  収容空間
２４  挿入口
２０１  第１止壁
２０２  第２止壁
２０３  第３止壁
３０、３０´  コンタクト
３１、３１´  第１コンタクト
３２、３２´  第２コンタクト
３３、３３´  第３コンタクト
４０、４０´  カバー部材
４１  逃げ溝
４２´  弾性片
４２１´  カム部
４２２´  支持部
５０、５０´  アクチュエータ部材
５１  本体部
５２、５２´  アーム部
５２０  先端壁
５２１  上壁
５２２  下壁
５２３、５２３´  当接壁
５２４  側壁
５２５  ガイド部
５２６´  段差
５２７  挿入開口部
６０  スイッチ端子
２００、２００´  小さなカード
３００、３００´大きなカード
【図１】
2011222505.tif 000003
【図２】
2011222505.tif 000004
【図３】
2011222505.tif 000005
【図４】
2011222505.tif 000006
【図５】
2011222505.tif 000007
【図６】
2011222505.tif 000008
【図７】
2011222505.tif 000009
【図８】
2011222505.tif 000010
【図９】
2011222505.tif 000011
【図１０】
2011222505.tif 000012
【図１１】
2011222505.tif 000013
【図１２】
2011222505.tif 000014